(57)【要約】【課題】本発明は、基材に塗布された接着剤を介して取り付けられたブラシ毛、および基材に開口部が成形されたブラシ毛からなるロールブラシに関するものである。【解決手段】本発明のロールブラシは、パイルからなるブラシ毛が植毛される基材と、前記基材を巻回している巻き芯とから少なくとも構成されている。前記ブラシ毛が植毛されているロールブラシは、平面部材の表面を研磨し、前記ブラシ毛が磨り減った場合に、前記巻き芯を巻回することにより、新しいブラシ毛表面が現れて、所望の研磨ができるような構造になっている。また、ロールブラシは、ブラシ毛となる基材に開口部が成形されている。前記開口部が成形された基材は、巻き芯に一端から他端に向けて巻回されている。前記ロールブラシは、開口部を有する基材部分が回転されながらワークの表面を研磨する。【選択図】図１
2012232364.tif 000002
【特許請求の範囲】
【請求項１】
ブラシ毛が植毛される基材と、
前記基材に塗布された接着剤と、
前記接着剤を介して取り付けられているブラシ毛となるパイルと、
前記基材の一端および他端に取り付けられた巻き芯と、
から少なくとも構成されており、
前記一端を巻回することにより、ブラシ毛部分の位置を変えることができることを特徴とするロールブラシ。
【請求項２】
前記基材は、メッシュから構成されていることを特徴とする請求項１に記載されたロールブラシ。
【請求項３】
ブラシ毛となる基材と、
前記基材に形成された開口部と、
前記基材の一端から巻回し、他端までを巻回して全体を覆う巻き芯と、
から少なくとも構成されていることを特徴とするロールブラシ。
【請求項４】
前記ブラシ毛となる基材の開口部は、スリット、長方形、円形、菱形、波形、およびこれらの変形の内の少なくとも一つが含まれていることを特徴とする請求項３に記載されたロールブラシ。
【請求項５】
前記ブラシ毛となる基材は、砥粒、香料、納豆菌の内の少なくとも一つが含まれていることを特徴とする請求項３または請求項４に記載されたロールブラシ。
【請求項６】
前記ブラシ毛となる基材は、紙、合成樹脂、天然部材、バフ、スポンジ、金属の内の少なくとも一つであることを特徴とする請求項３から請求項５のいずれか１項に記載されたロールブラシ。
【請求項７】
前記ブラシ毛となる基材は、異なる形状の開口を有する複数個が巻き芯に巻回されていることを特徴とする請求項３から請求項６のいずれか１項に記載されたロールブラシ。
【請求項８】
巻き芯に巻回されている異なる形状の開口を複数個有する少なくとも一つの第１のロールブラシと、
前記と異なる巻き芯に巻回されているとともに、ブラシ毛が接着剤により植毛されている基材からなる少なくとも一つの第２のロールブラシと、
によって前記平面部材の表面を研磨することを特徴とする研磨装置。
【請求項９】
前記第１のロールブラシおよび第２のロールブラシは、前記平面部材の進行方向に対して直角方向に移動できるように構成されていることを特徴とする請求項８に記載された研磨装置。
【請求項１０】
前記第２のロールブラシは、前記平面部材の進行方向に対して直角方向に巻回できる巻き芯部材を備えていることを特徴とする請求項８または請求項９記載されている研磨装置。
【請求項１１】
前記第１のロールブラシおよび前記第２のロールブラシは、前記平面部材の表および裏に設けられていることを特徴とする請求項９または請求項１０に記載された研磨装置。
【発明の詳細な説明】
【技術分野】
【０００１】
本発明は、基材に塗布された接着剤を介して取り付けられたブラシ毛、および基材に開口部が成形されたブラシ毛からなるロールブラシに関するものである。また、本発明は、同じ基材を使用し、ブラシとしての柔軟性、腰の強さ、および／または研磨力等の品質を任意に変えることができるロールブラシに関するものである。
【背景技術】
【０００２】
特開２００８−０１２６３２号公報に記載されているブラシ毛素材は、単線からなる合成樹脂素材中にダイヤモンド砥粒あるいは砥粒の少なくとも１種類が混入されている。前記合成樹脂素材は、線材に成形する際に、前記砥粒を混入して１本のブラシ毛とする。前記ブラシ毛の少なくとも１種類は、複数本が束ねられてブラシとなる。前記ブラシは、ワークの研磨目的に合うように、前記ブラシ毛を複数種類合わせて混毛としていた。前記混毛からなるブラシは、ブラシ毛素材の太さ、量、およびそれぞれの品質が正確に管理できないと、所望の品質にならない。
【先行技術文献】
【特許文献】
【０００３】
【特許文献１】特開２００８−０１２６３２号公報
【発明の概要】
【発明が解決しようとする課題】
【０００４】
従来、ワークに対して研削、研磨、バリ取り等を行うブラシは、たとえば、合成樹脂製ブラシ毛素材の中に砥粒等の粉末が混入されている。また、ブラシ毛素材は、一本一本の線径を揃えて均一な研磨を行うようにしている。また、前記研削、研磨、バリ取り等の処理を行うためのブラシ毛素材は、ワークに対してソフトな研磨を要求するものが出るようになって来た。このような要求に対応するためのブラシ毛素材は、ソフトなブラシ毛素材および硬いブラシ毛素材を混毛して、ワークの表面に合ったブラシを作製していた。
【０００５】
ブラシ毛素材は、ワークを研磨する研磨面の硬さ、長さ方向の硬さ（腰の有無）等が研磨目的に合っているか否かによって、ブラシの性能が左右される。したがって、ブラシ毛素材を複数種類混毛したブラシは、前記ブラシ毛素材の材質、線径、混毛の割合等によって、研磨を行う面の硬さ（柔らかさ）および腰の強さを調整する必要があり、ブラシを作製する際に、全ての要求に対して、均質なブラシとすることが困難であった。
【０００６】
以上のような課題を解決するために、本発明は、線径の異なるブラシ毛素材を組み合わせることなく、同じ基材を使用しても、所望の研磨および腰の強さを得ることができるブラシ毛で作製されたロールブラシを提供することを目的とする。本発明は、同じ太さまたは厚さ等のブラシ毛素材を使用することで、ユーザの要求に合った均質なブラシ毛またはロールブラシを提供することを目的とする。本発明は、同じ太さのブラシ毛素材に開口部を成形することにより、複数のブラシ毛素材で混毛とすることなく、太さおよび腰の硬さの異なる、均質なロールブラシを提供することを目的とする。
【課題を解決するための手段】
【０００７】
（第１発明）
第１発明のロールブラシは、ブラシ毛が植毛される基材と、
前記基材に塗布された接着剤と、前記接着剤を介して取り付けられているブラシ毛となるパイルと、前記基材の一端および他端に取り付けられた巻き芯とから少なくとも構成されており、前記一端を巻回することにより、ブラシ毛部分の位置を変えることができることを特徴とする。
【０００８】
（第２発明）
第２発明のロールブラシにおいて、前記基材は、メッシュから構成されていることを特徴とする。
【０００９】
（第３発明）
第３発明のロールブラシは、ブラシ毛となる基材と、前記基材に形成された開口部と、前記基材の一端から巻回し、他端までを巻回して全体を覆う巻き芯とから少なくとも構成されていることを特徴とする。
【００１０】
（第４発明）
第４発明のロールブラシにおいて、前記ブラシ毛となる基材の開口部は、スリット、長方形、円形、菱形、波形、およびこれらの変形の内の少なくとも一つが含まれていることを特徴とする。
【００１１】
（第５発明）
第５発明のロールブラシにおいて、前記ブラシ毛となる基材は、砥粒、香料、納豆菌の内の少なくとも一つが含まれていることを特徴とする。
【００１２】
（第６発明）
第６発明のロールブラシにおいて、前記ブラシ毛となる基材は、紙、合成樹脂、天然部材、バフ、スポンジ、金属の内の少なくとも一つであることを特徴とする。
【００１３】
（第７発明）
第７発明のロールブラシにおいて、前記ブラシ毛となる基材は、異なる形状の開口を有する複数個が巻き芯に巻回されていることを特徴とする。
【００１４】
（第８発明）
第８発明の研磨装置は、巻き芯に巻回されている異なる形状の開口を複数個有する少なくとも一つの第１のロールブラシと、前記と異なる巻き芯に巻回されているとともに、ブラシ毛が接着剤により植毛されている基材からなる少なくとも一つの第２のロールブラシとによって前記平面部材の表面を研磨することを特徴とする。
【００１５】
（第９発明）
第９発明の研磨装置において、前記第１のロールブラシおよび第２のロールブラシは、前記平面部材の進行方向に対して直角方向に移動できるように構成されていることを特徴とする。
【００１６】
（第１０発明）
第１０発明の研磨装置において、前記第２のロールブラシは、前記平面部材の進行方向に対して直角方向に巻回できる巻き芯部材を備えていることを特徴とする。
【００１７】
（第１１発明）
第１１発明の研磨装置において、前記第１のロールブラシおよび前記第２のロールブラシは、前記平面部材の表および裏に設けられていることを特徴とする。
【発明の効果】
【００１８】
本発明によれば、同じブラシ毛素材に成形された開口部の形状および／または大きさと、開口部の先端形状および／または大きさ等により、柔らかさと腰の柔軟性を同時に持たせることができる。また、前記開口部の周辺に生じるエッジは、ワークに対する研磨を鋭く、かつ、ブラシ毛にブラシとしての柔軟性および研磨力等の品質を変えることができる。
【００１９】
本発明によれば、ブラシ毛素材に長方形、丸型、正方形、多角形等のいずれかからなる開口部を成形するとともに、前記ブラシ毛素材を棒状体、筒状体、板状体とすることで、ブラシ毛素材の太さ、単一の素材から柔軟性、および研磨性の異なるブラシ毛素材とすることができる。
【００２０】
本発明によれば、ブラシ毛素材に成形する開口部の形状を適宜変えることにより、同じブラシ毛素材から、線径の太さ、異なる品質のブラシ毛、およびブラシを得ることができる。
【００２１】
本発明によれば、一つのブラシ毛素材から、異なる品質のブラシ毛およびブラシを得ることができるため、異なる種類のブラシ毛素材から異なる均質のブラシ毛およびブラシを得る必要がなく、品質管理の面で優れている。
【００２２】
本発明によれば、同じまたは異なる開口部が成形されているブラシ毛素材からチャンネルブラシまたは捻じりブラシを作製した場合、前記同じまたは異なる開口部のエッジにより、鋭い研磨または柔らかい研磨等、予め所望の研磨が行え、また、これらのブラシの腰の強さを調整することが容易にできる。
【図面の簡単な説明】
【００２３】
【図１】（イ）は本発明の基材にブラシ毛を植毛した例であり、（ロ）から（ニ）は基材に開口部を成形した例を説明するための模式図である。（実施例１）
【図２】本発明の基材を芯棒により巻回した状態を説明するための模式図である。（実施例２）
【図３】（イ）から（ハ）は芯棒に図１（イ）または（ハ）を巻回したロールブラシの例を説明するための模式図である。（実施例３）
【図４】（イ）および（ロ）は本発明の異なるロールブラシにより平面部材を研磨・洗浄を行う例を説明するための模式図である。（実施例４）
【図５】（イ）および（ロ）は平らなブラシ、および異なるロールブラシによって長い平面部材を研磨・洗浄する例を説明するための模式図である。（実施例５）
【図６】（イ）は平面部材の面を研磨・洗浄する際の実施態様であり、（ロ）は平面部材の両面を研磨・洗浄する例を説明するための模式図である。（実施例６）
【図７】平面部材の両面を複数の異なる種類のブラシによって研磨・洗浄する例を説明するための模式図である。（実施例７）
【図８】図１（イ）に示す基材にブラシ毛を植毛する例を説明するための模式図である。（実施例８）
【発明を実施するための形態】
【００２４】
（第１発明）
第１発明のロールブラシは、パイルからなるブラシ毛が植毛される基材と、前記基材を巻回している巻き芯とから少なくとも構成されている。前記ブラシ毛が植毛されているロールブラシは、たとえば、平面部材の表面を研磨し、前記ブラシ毛が磨り減った場合に、前記巻き芯を巻回することにより、新しいブラシ毛表面が現れて、所望の研磨ができるような構造になっている。
【００２５】
前記基材は、両端部において、巻回することができる柔軟性を有するとともに、表面に接着剤が塗布されている。そして、前記接着剤が塗布されている基材の表面にブラシ毛となるパイルが取り付けられる。前記パイルの取り付ける方法は、従来のパイル植毛法を使用することができる。前記基材の一端および他端に取り付けられた巻き芯は、前記平面部材の表面を研磨した後、前記表面の磨り減った部分を所定の幅だけずらすように前記一端を巻回して、ブラシ毛部分の位置を変える。本発明のロールブラシは、ブラシを交換するための時間が少なく、常に新しいブラシ毛部分を使用することができる。
【００２６】
（第２発明）
第２発明のロールブラシは、前記基材が、編み状、織られた繊維状のもの、あるいは第１発明の基材より目の粗いメッシュ状のものから構成されている。前記構成の基材は、接着剤およびブラシ毛が前記基材の隙間に入り易いため、パイル等のブラシ毛が付きやすく、脱落し難い。
【００２７】
（第３発明）
第３発明のロールブラシは、ブラシ毛となる基材に開口部が成形されている。前記開口部が成形された基材は、巻き芯に一端から他端に向けて巻回されている。前記ロールブラシは、開口部を有する基材部分が回転されながらワークの表面を研磨する。ワークは、前記基材の表面で研磨されるとともに、前記開口部の内側にできるエッジによっても研磨される。
【００２８】
（第４発明）
第４発明において、ロールブラシのブラシ毛となる基材の開口部は、スリット、長方形、円形、菱形、波形、およびこれらの変形の内の少なくとも一つが含まれている。前記スリットおよび長方形の開口は、ブラシ毛素材の長さ方向に、所定の間隔を置いて設けることができる。前記円形および菱形の開口部は、前記線径および長さに対して適宜決めることにより、ワークに対して程よい研磨を行うことができる。
【００２９】
前記波形は、そのエッジの位置が変化するので、スリットと異なる研磨を行うことができる。また、前記スリット、長方形、円形、菱形、波形、およびこれらの変形から構成される開口部は、連続および／または組み合わせて設けることができる。さらに、前記スリット、長方形、円形、菱形、波形の開口部は、形状を限定することなく、エッジ部分をワークの研磨目的に合わせて任意に設けることができる。
【００３０】
さらに、前記開口部は、前記スリット、長方形、円形、菱形、波形に対して変形したものを選択することができる。前記波型は、他の形状のもの、たとえば、スリットと組み合わせることも可能である。また、前記スリット、長方形、円形、菱形、波形等は、それぞれを適宜組み合わせて使用することにより、多種類のブラシ毛を使用したものと同じようになる。
【００３１】
（第５発明）
第５発明におけるブラシ毛となる基材は、砥粒、香料、納豆菌の内の少なくとも一つが含まれている。前記砥粒は、ワークの研磨目的に合った硬さおよび大きさのものを選択する。前記香料は、ワークを研磨する際に発生する熱によって生じる異臭を緩和し、長時間の作業を容易にする。前記納豆菌は、研磨とともに使用する洗浄液を常に清掃する作用があり、また、ワークの研磨熱により、発酵が促され、前記洗浄液を長く清浄に保つことができる。
【００３２】
（第６発明）
第６発明におけるブラシ毛となる基材は、紙、合成樹脂、天然部材、バフ、スポンジ、金属の内の少なくとも一つから構成される。前記各部材に設けられた開口部は、その内側エッジにより、平面と比較してそれぞれ異なった研磨を行うことができる。
【００３３】
（第７発明）
第７発明のロールブラシは、異なる形状の開口部からなるブラシ毛となる基材が複数個巻き芯に巻回されている。前記異なる形状の開口部は、前記開口部のエッジ部により、ワークの表面を優しく研磨することができる。また、異なる形状の開口部は、異なるエッジの組み合わせにより、所望の力で所望の研磨を行うことができる。
【００３４】
（第８発明）
第８発明の研磨装置は、比較的大型平面部材の表面を研磨するものであり、少なくとも異なる種類のロールブラシによって全体をムラなく均一に研磨することができる。たとえば、複数個の第１のロールブラシは、前記平面部材の研磨面に接して、異なる形状の開口部を有する巻き芯に巻回されている。また、第２のロールブラシは、ブラシ毛が接着剤により植毛されている基材および前記基材の両端に設けられている巻き芯とから構成されている。前記異なる研磨面を有する複数のロールブラシは、広い表面に対して均等にムラなく研磨を行うことができる。
【００３５】
（第９発明）
第９発明の研磨装置は、前記第１のロールブラシを前記平面部材の進行方向に対して直角方向に移動できるように構成されている。前記第１のロールブラシは、前記平面部材に対して、同じ箇所のみを研磨するのではなく、絶えず研磨する場所を変えることによって、全ての面を均等に研磨できるようにしている。
【００３６】
（第１０発明）
第１０発明の研磨装置は、前記第２のロールブラシを前記平面部材の進行方向に対して直角方向に巻回できる巻き芯部材から構成されている。前記第２のロールブラシは、前記平面部材に対して、同じ箇所のみを研磨するのではなく、絶えず研磨する場所を変えることによって、全ての面を均等に研磨できるようにしている。
【００３７】
（第１１発明）
第１１発明の研磨装置は、前記第１のロールブラシおよび前記第２のロールブラシが前記平面部材の表および裏を連続して研磨できるように設けられている。
【実施例１】
【００３８】
図１（イ）は本発明の基材にブラシ毛を植毛した例であり、（ロ）から（ニ）は基材に開口部を成形した例を説明するための模式図である。図１（イ）に示す基材１１は、後述する方法によりブラシ毛素材１２が植毛されている。図１（ロ）に示す例は、基材１１２に開口部１１３、１１４が成形されている。前記基材１１２に成形されている開口部１１３、１１４は、長方形または長楕円形であるが、大きさ、長さ、幅等を任意に選択することができる。
【００３９】
図１（ハ）に示す例は、基材１１５に丸形、方形、三角等の開口部１１８、１１７、１１６が成形されている。前記基材１１５に成形された開口部の形状、大きさ、配置等は、ワークの研磨目的等によって、任意に変形させることができる。図１（ニ）に示す例は、基材１１９に砥粒１１９１が入っているとともに、スリット１１９２および波線１１９３が成形されている。前記開口部の形状等は、任意に単独または組み合わせることができる。
【００４０】
前記砥粒１１９１は、使用するワークによって、ダイヤモンド、セラミックス、アルミナ、シリコン、ジルコニア、ジルコニウム、ガラス、エメリー、酸化セリウム、窒化ホウ素（ＣＢＮ）、ＧＣからなる少なくとも１種類であり、所望の大きさにすることができる。また、基材１１２、１１５、１１９は、異なる材質および厚さからなり、異なる大きさの砥粒を必要に応じて入れ、異なる形状および大きさの開口部が成形されている。
【００４１】
前記開口部１１３および１１４、１１６から１１８は、図１（ロ）および（ハ）に示すように比較的幅が広く、鋭い刃型（金型）により打ち抜かれている。図（ニ）に示すスリット１１９２、１１９３は、形状および位置を任意に変更することができるだけでなく、狭い形状になっている。前記基材は、断面が長方形であるとともに、任意の幅と長さを有する長方形からなり、紙、合成樹脂、天然部材、バフ、スポンジ、金属の内の少なくとも一つである。前記紙または布は、丸め、または複数枚を接着剤によって貼り合わせ、その後、前記砥粒が接着または埋め込まれる。前記基材１１２、１１５、１１９は、板材で示されているが、棒状および毛状として、開口部を成形することができる。
【００４２】
図２は本発明の基材を芯棒により巻回した状態を説明するための模式図である。図２において、平面ブラシ２１は、基材１１にブラシ毛素材が植毛（後述する）され、一端および他端が芯棒２２、２３を中心にして巻回されている。ブラシ毛が植毛された基材１１は、一端と他端に芯棒２２、２３を巻回することにより、常に新しいブラシ毛素材１２が図示されていないワークに接するようになっている。図２に示すロールブラシの使用方法は、後述する。また、図１（ロ）から（ニ）に示す基材は、図２に示すように巻回して、使用することができる。
【００４３】
図３（イ）から（ハ）は芯棒に図１（イ）または（ハ）を巻回したロールブラシの例を説明するための模式図である。図３（イ）において、軸３２の周囲に設けられた芯棒３３は、基材３４が巻回されている。前記基材３４は、幅方向のほぼ中心に多数のスリット３５が連続して成形されている。
【００４４】
図３（ロ）において、前記芯棒３３は、丸い開口部３７が多数連続して開口された基材３６が巻回されている。図３（ハ）において、前記芯棒３３は、図１（ロ）および（ハ）に示す異なる形状の開口部を備えた基材１１２、１１５が巻回されている。前記基材１１２、１１５に成形された開口部の形状は、図示されている形状以外に、いろいろな形状のものを単独または組み合わせることができる。前記基材１１２、１１５が巻回されたロールブラシは、開口部の形状、大きさ、数、種類等によって、ワーク自体の表面研磨および前記ワークの周囲におけるエッジ、前記ワークに設けられた開口部の内部エッジを研磨することができ、さらに、ブラシの材質および砥粒の組み合わせ等によって、所望の研磨態様を得ることができる。
【００４５】
図４（イ）および（ロ）は本発明の異なるロールブラシにより平面部材を研磨・洗浄を行う例を説明するための模式図で、斜視図および断面図である。図４（イ）および（ロ）において、基台４１に載置されたワーク（平面部材）４２は、芯棒４４′に巻回されたロールブラシ４４、および図３（イ）から（ロ）に記載された芯棒４３′に巻回された基材に開口部を有するロールブラシ４３によって研磨または洗浄される。前記ロールブラシ４３、４４は、ブラシ毛素材の材質および開口部の大きさまたは形状等により、ワークに対する研磨・洗浄を変えることができる。
【００４６】
図５（イ）および（ロ）は平らなブラシ、および異なるロールブラシによって長い平面部材を研磨・洗浄する例を説明するための模式図である。図５（イ）において、平面部材、たとえば、ガラス部材５１は、図２に示されているブラシ毛が植毛された両端に巻き芯が設けられた平面ブラシ５２、たとえば、丸い開口部５３１および異なる形状の開口部５３２を有するロールブラシ５３、スリット５４１を有するロールブラシ５４が所定の間隔を置いて配置されている。前記平面ブラシ５２は、ガラス部材５１の進行に対して直角の動き、または、固定でガラス部材５１の進行に従って研磨・洗浄ができる。ロールブラシ５３、５４は、ガラス部材５１の上部で、回転しながら研磨・洗浄を行う。
【００４７】
前記ロールブラシ５３、５４は、開口部の形状および／または複数の開口部の組み合わせを任意にすることができる。前記平面ブラシ５２は、ブラシ面が消耗した場合、巻き芯を動かして所望の距離だけ移動することにより、常に磨耗されていない状態で研磨・洗浄が可能である。前記ロールブラシ５３、５４は、スリットおよび開口部の大きさ、開口部の形状および数によって、ガラス表面の研磨・洗浄を多様化することができる。
【００４８】
図５（ロ）に示された実施例は、図５（イ）の変形である。図５（ロ）に示すロールブラシ５２から５７は、図５（イ）と比較して、長さ短くなっているが、同じ長さにすることもできる。短いロールブラシ５２から５７は、ガラス部材５１の進行方向に対して直角の動きを連続的または間欠的に行わせる。図５（ロ）における平らなブラシは、図５（イ）のものと同じである。図５（イ）および（ロ）におけるロールブラシは、前記ガラス部材５１の要求に答えるような素材および開口部を備えているものである。
【００４９】
図６（イ）は平面部材の面を研磨・洗浄する際の実施態様であり、（ロ）は平面部材の両面を研磨・洗浄する例を説明するための模式図である。図６（イ）において、平面ブラシ６２は、下部に向かって（ガラス部材６１の上面に向かって）ブラシ毛素材が植毛されている。前記平面ブラシ６２は、両端部に巻回部６３、６４が設けられている。たとえば、古くなった平面ブラシ６２は、巻回部６２に巻回され、新しい平面ブラシの部分が巻回部６３から繰り出される。
【００５０】
図６（ロ）において、ガラス部材６１は、上下両面において平面ブラシ６２によって覆われている。前記平面ブラシ６２の両端部は、巻回部６３および６４に巻回できるようになっている。前記巻回部６３、６４の反対側には、ローラ６５が設けられており、前記平面ブラシ６２を移動させることができる。また、本実施例の例は、模式図であるが、平面ブラシ６２の下部および上部に基台６６および錘６７を設けておくことができる。前記平面ブラシ６２は、図６（イ）と同様に、ブラシが消耗した際に移動させることにより、何時も同じ研磨品質を保持できるようになっている。
【００５１】
図７は平面部材の両面を複数の異なる種類のブラシによって研磨・洗浄する例を説明するための模式図である。図７において、ガラス部材７１の上下両面には、図５（イ）および／または（ロ）に示すブラシと同じ平面ブラシ７２、７３、ロールブラシ７４から７７が  所定の間隔を置いて配置されている。また、前記平面ブラシおよびロールブラシの位置は、互いに重ならないように設けているが、同じ位置で重なるようにすることもできる。
【００５２】
本発明の平面ブラシおよびロールブラシは、砥粒、香料、納豆菌の内の少なくとも一つを含めることができる。前記砥粒は、ワークの研磨目的に合った硬さおよび粒径のものを選択できる。前記香料は、ワークを研磨する際に発生する熱によって生じる異臭を緩和し、長時間の作業を容易にする。前記納豆菌は、研磨とともに使用する洗浄液を常に清掃する作用があり、また、ワークの研磨熱により、発酵が促され、前記洗浄液を長く清浄に保つことができる。さらに、前記砥粒、香料、納豆菌は、紙、布、合成樹脂、ゴム素材、不織布、スポンジ、コルク等に入れることも可能である。さらに、前記砥粒、香料、納豆菌は、高い静電気を電極に印加した際に、舞い上がりながら互いに衝突することによりブラシ毛素材に食い込ませることができる。
【００５３】
実施例１
対象物            液晶パネルの表面（５０インチ液晶表示画面）
使用納豆菌        γ−ポリグルタミン酸
使用ブラシ毛      和紙を丸め、縒り、捻じりを加えたチャンネルブラシ
完成後放置期間    ３カ月放置したが、雑菌の繁殖および小さな汚れ、染み等の発生がなかった。
【００５４】
実施例２
対象物            液晶パネルの表面（５０インチ液晶表示画面）
使用納豆菌        γ−ポリグルタミン酸
使用ブラシ毛      ブラシ毛が不織布からなるチャンネルブラシ
完成後放置期間    ３カ月放置したが、雑菌の繁殖および小さな汚れ、染み等の発生がなかった。
【００５５】
図８は図１（イ）に示す基材にブラシ毛を植毛する例を説明するための模式図である。図８において、基材８４は、下方からパイル（ブラシ毛素材）が植毛されて、図１に示すものとなる。前記基材８４は、第１ローラ８１、第２ローラ８２、および第３ローラ８３の間を通過し、下方にある接着剤槽８５により接着剤が塗布される。また、下方のパイル入れ８６および上方の電極８７は、図示のごとく配置されている。前記パイル入れ８６と電極８７の間に高い静電気が印加されると、前記パイル入れ８６内のパイルが基材８４に向かって飛び、前記接着剤により付着して平面ブラシとなる。
【００５６】
前記基材８４は、繊維質のもの、網状になっている部材等、前記パイルが接着材により接着し易い部材であれば、特に限定されない。その後、前記基材８４は、切断機によって、ブラシ毛が同じ長さになるようにカッティングされ、本実施例に示す平面ブラシができる。
【００５７】
以上、本発明の実施例を詳述したが、本発明は、前記実施例に限定されるものではない。そして、本発明は、持許請求の範囲に記載された事項を逸脱することがなければ、種々の設計変更を行うことが可能である。本発明のロールブラシは、基材にブラシ毛素材が接着されているため、素材の柔らかさ、素材自体の性質等を均等に発揮させることができる。また、本発明のロールブラシに巻回した基材は、表面の摩擦および開口部のエッジによるブラッシングができるため、品質の高いロールブラシを得ることができる。
【符号の説明】
【００５８】
１１、１１２、１１５、１１９・・・基材
１２・・・ブラシ毛素材
１１３、１１４、１１６、１１７、１１８・・・開口部
１１９１・・・砥粒
１１９２・・・スリット
１１９３・・・波線
２１・・・平面ブラシ
２２、２３・・・芯棒
３２・・・軸
３３・・・芯棒
３４・・・基材
３５、３７・・・開口部
３６・・・基材
３８、３９・・・複数の異なる開口部
【図１】
2012232364.tif 000003
【図２】
2012232364.tif 000004
【図３】
2012232364.tif 000005
【図４】
2012232364.tif 000006
【図５】
2012232364.tif 000007
【図６】
2012232364.tif 000008
【図７】
2012232364.tif 000009
【図８】
2012232364.tif 000010